(57)【特許請求の範囲】
【請求項１】
印象を示す感性情報と、当該感性情報が示す印象に適合するデザイン要素と、を対応付けて記憶する記憶手段と、
デザイン作成の対象物に対する印象を示す対象物感性情報を受け付ける受付手段と、
前記対象物感性情報が前記記憶手段に記憶されていない場合、前記対象物のデザインに関する出力物を前記対象物感性情報との関係が定義されている別の感性情報に対応するデザイン要素により補間し作成する作成手段と、
を有する情報処理装置。
【請求項２】
前記別の感性情報は、前記対象物感性情報が示す印象の隣接範囲に含まれる印象を示す感性情報である、
ことを特徴とする請求項１に記載の情報処理装置。
【請求項３】
前記対象物感性情報が前記記憶手段に記憶されていない場合、前記作成手段は、前記対象物感性情報が示す印象と前記別の感性情報が示す印象との差と、前記別の感性情報が示す印象に対するデザイン要素の適合度と、を用いて、前記対象物感性情報が示す印象に適合するデザイン要素を決定し、当該決定されたデザイン要素を用いて、前記出力物を作成する、
ことを特徴とする請求項１又は請求項２に記載の情報処理装置。
【請求項４】
前記対象物感性情報が前記記憶手段に記憶されていない場合、前記作成手段は、前記差と前記適合度を用いて、前記対象物感性情報が示す印象に対する複数のデザイン要素の適合度を演算し、当該適合度に基づいて、前記複数のデザイン要素の中から、前記対象物感性情報が示す印象に適合するデザイン要素を選択する、
ことを特徴とする請求項３に記載の情報処理装置。
【請求項５】
前記受付手段は、除外対象の印象を示す除外対象感性情報を更に受け付け、
前記対象物感性情報が前記記憶手段に記憶されていない場合、前記作成手段は、前記記憶手段に記憶されている感性情報群の中から、前記対象物感性情報が示す印象との差が、前記除外対象感性情報が示す印象との差よりも小さい感性情報を前記別の感性情報として選択する、
ことを特徴とする請求項１から請求項４のいずれか一項に記載の情報処理装置。
【請求項６】
前記対象物感性情報は印象を示す対象物感性語であり、
前記対象物感性情報が前記記憶手段に記憶されておらず、かつ、前記対象物感性情報との関係が定義されている前記別の感性情報が前記記憶手段に記憶されていない場合、前記作成手段は、前記対象物感性語の類義語が示す印象に基づいて前記対象物感性語に対する仮の印象を推定し、前記仮の印象の隣接範囲に含まれる印象を示す感性情報を前記別の感性情報として選択する、
ことを特徴とする請求項１から請求項４のいずれか一項に記載の情報処理装置。
【請求項７】
複数の異なる対象物感性語が前記受付手段により受け付けられた場合、前記作成手段は、前記各対象物感性語の類義語に基づいて前記仮の印象を推定する、
ことを特徴とする請求項６に記載の情報処理装置。
【請求項８】
印象を示す感性情報と、当該感性情報が示す印象に適合するデザイン要素と、を対応付けて記憶する記憶手段を有するコンピュータを、
デザイン作成の対象物に対する印象を示す対象物感性情報を受け付ける受付手段と、
前記対象物感性情報が前記記憶手段に記憶されていない場合、前記対象物のデザインに関する出力物を前記対象物感性情報との関係が定義されている別の感性情報に対応するデザイン要素により補間し作成する作成手段と、
として機能させるプログラム。
【発明の詳細な説明】
【技術分野】
【０００１】
本発明は、情報処理装置及びプログラムに関する。
【背景技術】
【０００２】
予め定義された印象を示す感性情報がユーザにより指定され、デザイン作成の対象物について、その印象を有するデザインが作成される場合がある。
【０００３】
特許文献１には、特徴的な単語で表された分類カテゴリ情報が付与された情報について、各情報間の内容的類似特性に基づいて、その情報を２次元平面上に視覚的に分類配置する装置が開示されている。
【０００４】
特許文献２に記載の装置においては、顧客の属性毎の単語と当該単語の概念を含むテキストとを対応させる対応情報が生成され、相関のある単語と顧客の属性との組み合わせが選択される。そして、選択された単語に対応するテキストを含む文書であって当該文書の顧客の属性が選択された顧客の属性と一致する文書に対応付けられている属性情報が抽出され、その属性情報が示すメールアドレスが通知される。
【０００５】
特許文献３に記載の装置においては、テキスト文書が言語解析され、そのテキスト解析情報と感性表現辞書と感性表現抽出ルールとを用いて、テキスト文書中の感性表現が抽出され、当該感性表現に関する情報を含む感性情報が生成されてデータベース化される。そのデータベースとともに感性ベクトル辞書が検索され、その検索結果が出力される。
【先行技術文献】
【特許文献】
【０００６】
【特許文献１】特開２００５−３１６８９７号公報
【特許文献２】特開２００７−７９６９４号公報
【特許文献３】特開２０１０−１１３５１１号公報
【発明の概要】
【発明が解決しようとする課題】
【０００７】
ところで、予め定義されていない印象を示す感性情報がユーザにより指定された場合、対象物について、その印象を有するデザインが作成されないという問題が生じる。これに対処するために、想定されるあらゆる印象を予め定義した場合、その定義の量は膨大になり、現実的ではない。また、あらゆる印象を想定したとしても、定義されていない印象がユーザにより指定されないとは限らず、この場合、上記の問題が生じる。
【０００８】
本発明の目的は、予め定義されていない印象を示す感性情報が指定された場合であっても、その印象又はそれに近い印象を有するデザインが作成されるようにすることにある。
【課題を解決するための手段】
【０００９】
請求項１に係る発明は、印象を示す感性情報と、当該感性情報が示す印象に適合するデザイン要素と、を対応付けて記憶する記憶手段と、デザイン作成の対象物に対する印象を示す対象物感性情報を受け付ける受付手段と、前記対象物感性情報が前記記憶手段に記憶されていない場合、前記対象物のデザインに関する出力物を前記対象物感性情報との関係が定義されている別の感性情報に対応するデザイン要素により補間し作成する作成手段と、を有する情報処理装置である。
【００１０】
請求項２に係る発明は、前記別の感性情報は、前記対象物感性情報が示す印象の隣接範囲に含まれる印象を示す感性情報である、ことを特徴とする請求項１に記載の情報処理装置である。
【００１１】
請求項３に係る発明は、前記対象物感性情報が前記記憶手段に記憶されていない場合、前記作成手段は、前記対象物感性情報が示す印象と前記別の感性情報が示す印象との差（マップ上の距離）と、前記別の感性情報が示す印象に対するデザイン要素の適合度と、を用いて、前記対象物感性情報が示す印象に適合するデザイン要素を決定し、当該決定されたデザイン要素を用いて、前記出力物を作成する、ことを特徴とする請求項１又は請求項２に記載の情報処理装置である。
【００１２】
請求項４に係る発明は、前記対象物感性情報が前記記憶手段に記憶されていない場合、前記作成手段は、前記差と前記適合度を用いて、前記対象物感性情報が示す印象に対する複数のデザイン要素の適合度を演算し、当該適合度に基づいて、前記複数のデザイン要素の中から、前記対象物感性情報が示す印象に適合するデザイン要素を選択する、ことを特徴とする請求項３に記載の情報処理装置である。
【００１３】
請求項５に係る発明は、前記受付手段は、除外対象の印象を示す除外対象感性情報を更に受け付け、前記対象物感性情報が前記記憶手段に記憶されていない場合、前記作成手段は、前記記憶手段に記憶されている感性情報群の中から、前記対象物感性情報が示す印象との差が、前記除外対象感性情報が示す印象との差よりも小さい感性情報を前記別の感性情報として選択する、ことを特徴とする請求項１から請求項４のいずれか一項に記載の情報処理装置である。
【００１４】
請求項６に係る発明は、前記対象物感性情報は印象を示す対象物感性語であり、前記対象物感性情報が前記記憶手段に記憶されておらず、かつ、前記対象物感性情報との関係が定義されている前記別の感性情報が前記記憶手段に記憶されていない場合、前記作成手段は、前記対象物感性語の類義語が示す印象に基づいて前記対象物感性語に対する仮の印象を推定し、前記仮の印象の隣接範囲に含まれる印象を示す感性情報を前記別の感性情報として選択する、とを特徴とする請求項１から請求項４のいずれか一項に記載の情報処理装置である。
【００１５】
請求項７に係る発明は、複数の異なる対象物感性語が前記受付手段により受け付けられた場合、前記作成手段は、前記各対象物感性語の類義語に基づいて前記仮の印象を推定する、ことを特徴とする請求項６に記載の情報処理装置である。
【００１６】
請求項８に係る発明は、印象を示す感性情報と、当該感性情報が示す印象に適合するデザイン要素と、を対応付けて記憶する記憶手段を有するコンピュータを、デザイン作成の対象物に対する印象を示す対象物感性情報を受け付ける受付手段と、前記対象物感性情報が前記記憶手段に記憶されていない場合、前記対象物のデザインに関する出力物を前記対象物感性情報との関係が定義されている別の感性情報に対応するデザイン要素により補間し作成する作成手段と、として機能させるプログラムである。
【発明の効果】
【００１７】
請求項１−４，８に係る発明によると、予め定義されていない印象を示す感性情報が指定された場合であっても、その印象又はそれに近い印象を有するデザインが作成される。
【００１８】
請求項５に係る発明によると、除外対象印象情報を用いない場合と比べて、目標のデザインにより近いデザインが作成される。
【００１９】
請求項６に係る発明によると、対象物感性情報との関係が定義されている別の感性情報が記憶手段に記憶されていない場合であっても、対象物感性情報が示す印象と同一の印象又はそれに近い印象を有するデザインが作成される。
【００２０】
請求項７に係る発明によると、複数の異なる印象が合成された印象と同一の印象又はそれに近い印象を有するデザインが作成される。
【図面の簡単な説明】
【００２１】
【図１】本発明の実施形態に係るデザイン作成システムを示すブロック図である。
【図２】本実施形態に係るデザイン作成装置を示すブロック図である。
【図３】端末装置を示すブロック図である。
【図４】印象マップ（テイストマップ）の一例を示す図である。
【図５】テイストに対するデザイン要素の感性スコアの一例を示す図である。
【図６】テイストに対するデザイン要素の感性スコアの一例を示す図である。
【図７】感性評価テーブルの一例を示す図である。
【図８】関係性テーブルの一例を示す図である。
【図９】印象マップテーブルの一例を示す図である。
【図１０】類義語テーブルの一例を示す図である。
【図１１】感性評価テーブルの別の例を示す図である。
【図１２】関係性テーブルの別の例を示す図である。
【図１３】印象マップテーブルの別の例を示す図である。
【図１４】類義語テーブルの別の例を示す図である。
【図１５】本実施形態に係るデザイン作成装置による処理を示すフローチャートである。
【図１６】印象マップの一例を示す図である。
【図１７】名刺情報登録画面の一例を示す図である。
【図１８】名刺のデザインの一例を示す図である。
【図１９】個人情報の一例を示す図である。
【図２０】実施例１に係る隣接感性語の一例を示す図である。
【図２１】実施例１に係る隣接感性語に対するデザイン要素の感性スコア（ローデータ）の一例を示す図である。
【図２２】実施例１に係る対象物感性語に対するデザイン要素の感性スコア（ローデータ）の推定値の一例を示す図である。
【図２３】実施例１に係る対象物感性語について推定されたデザイン要素の一例を示す図である。
【図２４】実施例２に係る対象物感性語の類義語の一例を示す図である。
【図２５】実施例２に係る類義語の座標データの一例を示す図である。
【図２６】実施例２に係る隣接感性語の座標データの一例を示す図である。
【図２７】実施例３に係る隣接感性語の一例を示す図である。
【図２８】実施例３に係る隣接感性語の一例を示す図である。
【図２９】実施例３に係る隣接感性語に対するデザイン要素の感性スコア（ローデータ）の一例を示す図である。
【図３０】実施例３に係る対象物感性語に対するデザイン要素の感性スコア（ローデータ）の一例を示す図である。
【図３１】実施例３に係る対象物感性語について推定されたデザイン要素の一例を示す図である。
【図３２】実施例４に係る隣接感性語の一例を示す図である。
【図３３】実施例４に係る隣接感性語に対するデザイン要素の感性スコア（ローデータ）の一例を示す図である。
【図３４】実施例４に係る対象物感性語に対するデザイン要素の感性スコア（ローデータ）の一例を示す図である。
【図３５】実施例４に係る対象物感性語について推定されたデザイン要素の一例を示す図である。
【図３６】実施例５に係る対象物感性語の類義語の一例を示す図である。
【図３７】実施例５に係る類義語の座標データの一例を示す図である。
【図３８】実施例５に係る隣接感性語の座標データの一例を示す図である。
【図３９】実施例６に係る対象物感性語の類義語の一例を示す図である。
【図４０】実施例６に係る類義語の座標データの一例を示す図である。
【図４１】実施例６に係る類語語の座標データの一例を示す図である。
【図４２】実施例６に係る隣接感性語の座標データの一例を示す図である。
【発明を実施するための形態】
【００２２】
図１には、本発明の実施形態に係る情報処理システムとしてのデザイン作成システムの一例が示されている。デザイン作成システムは、情報処理装置としてのデザイン作成装置１０と端末装置１２とを含む。デザイン作成装置１０と端末装置１２は、ネットワーク等の通信経路Ｎに接続されている。図１に示す例では、１つの端末装置１２が通信経路Ｎに接続されているが、複数の端末装置１２が通信経路Ｎに接続されてもよい。
【００２３】
デザイン作成装置１０は、対象物のデザインであって要求に応じたテイスト（印象）を有するデザインを作成し、その対象物のデザインを表すデータ（例えば対象物の画像データやテンプレートデータ等）を出力物として提供する機能を備えている。対象物は、例えば、名刺、チラシ、広告、ダイレクトメール（ＤＭ）、ポスター、はがき、カタログ、その他の文書、衣服、車、建物、橋、等である。また、デザイン作成装置１０は、他の装置との間でデータを送受信する機能を備えている。
【００２４】
端末装置１２は、ＰＣ（パーソナルコンピュータ）、タブレットＰＣ、スマートフォン、携帯電話等の装置であり、他の装置との間でデータを送受信する機能を備えている。端末装置１２は、例えば、デザインを作成するときに使用される。
【００２５】
本実施形態では、デザインの作成時に、デザイン作成の基礎となる情報が端末装置１２からデザイン作成装置１０に送信され、デザイン作成装置１０において、その情報に基づいてデザインが作成される。
【００２６】
なお、端末装置１２がデザイン作成装置１０に組み込まれて、デザイン作成装置１０と端末装置１２が物理的に一体化された装置であってもよい。
【００２７】
以下、図２を参照して、デザイン作成装置１０の構成について詳しく説明する。図２には、デザイン作成装置１０の構成が示されている。
【００２８】
通信部１４は通信インターフェースであり、通信経路Ｎを介して、他の装置にデータを送信する機能、及び、他の装置からデータを受信する機能を備えている。例えば、通信部１４により、対象物のデザインを表すデータが端末装置１２に送信され、端末装置１２から送信された情報（例えばデザイン作成の基礎となる情報）が受信される。
【００２９】
感性評価ＤＢ（データベース）１６はハードディスク等の記憶装置であり、感性スコアローデータを記憶する。感性スコアローデータは、デザイン作成の対象物毎及びテイスト毎に予め作成されたデータであり、デザインのテイスト（印象）を示す感性情報と、そのテイストに対する各デザイン要素の適合度（関連度）を示す感性スコア（評価値）と、の対応付けを示すデータである。テイストは、例えば、ある対象に対して人が有する印象を類型化した嗜好モデルに基づいて予め決定される。デザイン作成の対象物は、例えば複数のデザインカテゴリ（デザイン部分、デザインアイテム）により構成され、デザイン要素は、その対象物を構成する各デザインカテゴリ（各デザイン部分、各デザインアイテム）のデザインを規定する要素である。個々のデザインカテゴリ毎に複数のデザイン要素が定義され、テイストに対する各デザイン要素の感性スコアが予め求められている。感性スコアは、例えば、数量化１類に従った感性評価実験により得られた値である。例えば、デザイン要素の持つテイスト（印象）がデザインのテイストに合致するほど、そのデザイン要素の適合度（関連度）は高くなる。
【００３０】
また、感性評価ＤＢ１６には、感性評価データが記憶されている。感性評価データは、デザイン作成の対象物毎及びテイスト毎に予め作成されたデータであり、デザインのテイストを示す感性情報と、そのテイストに適合（関連）する適合デザイン要素と、の対応付けを示すデータである。適合デザイン要素は、それに対応するテイストを有するデザイン要素であると評価される。対象物を構成する個々のデザインカテゴリ毎に、デザインのテイストに適合する適合デザイン要素が予め特定されており、適合デザイン要素が感性評価データに示されている。例えば、対象物を構成する個々のデザインカテゴリ毎に、当該デザインカテゴリに属する複数のデザイン要素の中から、感性スコア（適合度）に基づいて、適合デザイン要素が決定される。具体的には、対象物を構成する個々のデザインカテゴリ毎に、感性スコアの最も高いデザイン要素が適合デザイン要素として採用される。感性評価データは、例えば、上記の感性スコアローデータから求められる。
【００３１】
関係性ＤＢ（データベース）１８はハードディスク等の記憶装置であり、各感性情報間の関係性を示す関係性データを記憶する。その関係性データは予め作成されたデータであり、各感性情報間において、それらが示す各テイストの近さを示すデータである。感性情報は例えばテイストを示す感性語であり、関係性データには、各感性語間における意味の近さが規定されている。この関係性データを参照することにより、各感性語間の意味の近さが特定される。
【００３２】
印象マップＤＢ（データベース）２０はハードディスク等の記憶装置である。感性情報が示すテイストが数値化されており、その数値が印象マップＤＢ２０に記憶されている。例えば、印象マップＤＢ２０には、印象マップデータ（テイストマップデータ）が記憶されている。印象マップは、テイスト（印象）の分布を示す１次元又は多次元のマップである。感性情報が示すテイストが、その印象マップ上の座標として定義されている。
【００３３】
類義語ＤＢ（データベース）２２はハードディスク等の記憶装置であり、類義語データを記憶する。その類義語データは予め作成されたデータであり、感性語とその感性語の類義語（同義語）との対応付けを示すデータである。
【００３４】
感性評価データに規定されている感性情報（例えば感性語）の数Ａと、関係性データに規定されている感性情報の数Ｂと、類義語データに規定されている感性情報の数Ｃと、を比較すると、Ｃ＞Ｂ＞Ａの関係が成立するものとする。もちろん、この関係は一例に過ぎず、他の関係（任意の関係）が成立してもよい。
【００３５】
テイスト算出部２４は、デザイン作成の対象物に対するテイストを示す対象物感性情報を受け、その対象物のデザインを作成するためのテイストを算出する機能を備えている。具体的には、テイスト算出部２４は、対象物を構成する個々のデザインカテゴリ毎に、その対象物のデザインを作成するためのデザイン要素を決定する。
【００３６】
例えば、対象物感性情報が感性評価ＤＢ１６に記憶されている場合、つまり、その対象物感性情報が感性評価データに含まれている場合、テイスト算出部２４は、その対象物感性情報が示すテイストを、対象物のデザインを作成するためのテイストとして採用する。具体的には、テイスト算出部２４は、その対象物感性情報に対応付けられている適合デザイン要素を、対象物のデザインを作成するためのデザイン要素として採用する。
【００３７】
対象物感性情報が感性評価ＤＢ１６に記憶されていない場合、つまり、その対象物感性情報が感性評価データに含まれていない場合、テイスト算出部２４は、関係性ＤＢ１８内を検索する。対象物感性情報が関係性ＤＢ１８に記憶されている場合、つまり、その対象物感性情報が関係性データに含まれている場合、テイスト算出部２４は、その対象物感性情報との関係が定義されている別の感性情報が示すテイストにより補間して、対象物のデザインを作成するためのテイストを算出する。具体的には、テイスト算出部２４は、別の感性情報に対応付けられている適合デザイン要素により補間して、対象物のデザインを作成するためのデザイン要素を算出する。
【００３８】
対象物感性情報が感性評価ＤＢ１６と関係性ＤＢ１８のいずれにも記憶されていない場合、つまり、その対象物感性情報が感性評価データと関係性データのいずれにも含まれていない場合、テイスト算出部２４は、類義語ＤＢ２２内を検索する。対象物感性情報が類義語ＤＢ２２に記憶されている場合、つまり、その対象物感性情報が示す感性語が類義語データに含まれている場合、テイスト算出部２４は、その類義語データから類義語を取得し、その類義語を用いて、上記の別の感性情報を決定し、その別の感性情報が示すテイストにより補間して、対象物のデザインを作成するためのテイストを算出する。
【００３９】
デザイン作成部２６は、テイスト算出部２４により採用又は算出されたテイストに従って、デザイン作成の対象物のデザインを表すデータ（例えば対象物の画像データやテンプレートデータ等）を出力物として作成する機能を備えている。具体的には、デザイン作成部２６は、テイスト算出部２４により採用又は算出されたデザイン要素を用いて、対象物のデザインを表すデータを作成する。
【００４０】
制御部２８は、デザイン作成装置１０の各部の動作を制御する機能を備えている。
【００４１】
図３を参照して、端末装置１２の構成について詳しく説明する。図３には、端末装置１２の構成が示されている。
【００４２】
通信部３０は通信インターフェースであり、通信経路Ｎを介して、他の装置にデータを送信する機能、及び、他の装置からデータを受信する機能を備えている。例えば、通信部３０により、デザイン作成の基礎となる情報がデザイン作成装置１０に送信され、デザイン作成装置１０から送信されたデザインを表すデータが受信される。記憶部３２はハードディスク等の記憶装置であり、プログラムやデータ等を記憶する。ＵＩ部３４はユーザインターフェースであり、表示部と操作部を含む。表示部は、例えば液晶ディスプレイ等の表示装置であり、操作部は、例えばキーボード、マウス、タッチパネル等の入力装置である。制御部３６は端末装置１２の各部の動作を制御する機能を備えている。
【００４３】
図４を参照して、印象マップ（テイストマップ）について詳しく説明する。図４には、印象マップの一例が示されている。印象マップ３８は、例えば、２つの軸（ｘ軸、ｙ軸）で規定された２次元マップである。印象マップ３８上の各座標には、感性情報が予め対応付けられている。印象マップ３８上の座標を指定することにより、その座標に対応するテイスト（印象）が特定される。印象マップ３８においては、横軸（ｘ軸）がテイストの指標「ＷＡＲＭ」と「ＣＯＯＬ」を規定する指標軸であり、縦軸（ｙ軸）がテイストの指標「ＨＡＲＤ」と「ＳＯＦＴ」を規定する指標軸である。例えば、右側の領域ほど「ＣＯＯＬ」の印象が強くなっている。つまり、右側の領域ほど「ＣＯＯＬ」感が強く感じられるテイストが対応付けられている。一方、左側の領域ほど「ＷＡＲＭ」の印象が強くなっている。つまり、左側の領域ほど「ＷＡＲＭ」感が強く感じられるテイストが対応付けられている。また、上側の領域ほど「ＳＯＦＴ」の印象が強くなっている。つまり、上側の領域ほど「ＳＯＦＴ」感が強く感じられるテイストが対応付けられている。一方、下側の領域ほど「ＨＡＲＤ」の印象が強くなっている。つまり、下側の領域ほど「ＨＡＲＤ」感が強く感じられるテイストが対応付けられている。
【００４４】
図４に示す例では、印象マップ３８は複数の領域に分割されており、各領域に感性情報（例えば符号４０で示すテイスト「ロマンチック」等）が対応付けられている。印象マップ３８は予め作成され、そのデータは印象マップＤＢ２０に予め記憶されている。対象物毎に異なる印象マップが定義されてもよいし、複数の対象物に対して共通の印象マップが定義されてもよい。なお、印象マップは、３次元以上の次元を有するマップであってもよいし、１次元のマップであってもよい。
【００４５】
以下、デザイン作成装置１０に記憶されている各データの構造について説明する。図５及び図６には、感性スコアローデータの一例が示されている。感性スコアローデータは、デザイン作成の対象物毎及びデザインのテイスト毎に予め作成されたデータであり、感性評価ＤＢ１６に記憶されている。感性スコアローデータにおいては、デザインカテゴリ（デザインアイテム）４２とデザイン要素４４と感性スコア４６とが対応付けられている。デザインカテゴリは、対象物を構成する個々のデザイン部分である。各デザインカテゴリには１又は複数のデザイン要素が定義されている。各デザイン要素は、そのデザインカテゴリのデザインを規定する要素である。感性スコアは、テイストに対するデザイン要素の適合度を示す値であり、例えば、数量化１類の分析により得られた値である。
【００４６】
図５及び図６に示す例では、対象物は「名刺」であり、デザインのテイストは「ダイナミック」である。つまり、図５及び図６に示されている感性スコアローデータは、対象物を「名刺」として、テイスト「ダイナミック」に対する各デザイン要素の適合度を示すデータである。一例として、「紙方向」、「カラーモード」、「背景のテンプレート」、「文字要素の分布」、等が、対象物「名刺」のデザインカテゴリである。デザインカテゴリ毎に１又は複数のデザイン要素が定義され、テイスト「ダイナミック」に対する各デザイン要素の適合度が求められている。一例として、感性スコアの高いデザイン要素ほど、そのデザイン要素が持つテイスト（印象）がテイスト「ダイナミック」に合致しており、テイスト「ダイナミック」に適していると評価される。
【００４７】
例えば、デザインカテゴリ「紙方向」については、デザイン要素「１：横」の感性スコアは「０．０５」であり、デザイン要素「２：縦」の感性スコアは「−０．０５」である。つまり、デザイン要素「２：縦」よりもデザイン要素「１：横」の方が、対象物「名刺」の「紙方向」に関して、テイスト「ダイナミック」をより適切に表現していると評価されている。すなわち、デザイン要素「２：縦」よりもデザイン要素「１：横」の方が、よりダイナミックな印象を与えると評価されている。
【００４８】
また、デザインカテゴリ「背景のテンプレート」については、デザイン要素「太い斜線」の感性スコアが最も高くなっている。つまり、対象物「名刺」の「背景のテンプレート」に関して、他のデザイン要素と比べて、デザイン要素「７：太い斜線」がテイスト「ダイナミック」をより適切に表現していると評価されている。すなわち、デザイン要素「７：太い斜線」が他のデザイン要素と比べて、よりダイナミックな印象を与えると評価されている。
【００４９】
対象物「名刺」に関して、テイスト「ダイナミック」以外のテイストについても、図５及び図６に示されているデザインカテゴリ及びデザイン要素と同一のデザインカテゴリ及びデザイン要素が定義されており、各デザイン要素の感性スコアが求められている。対象物「名刺」に関して、各テイストについての感性スコアローデータが予め作成されて、感性評価ＤＢ１６に記憶されている。
【００５０】
なお、図５及び図６に示す例では、対象物が「名刺」の場合について説明したが、他の対象物についても同様にテイスト毎に感性スコアローデータが予め作成されて、感性評価ＤＢ１６に記憶されている。例えば、広告、チラシ、ポスター、はがき、その他の文書、衣服、車、建物、橋、等について、それぞれの感性スコアローデータが予め作成されて感性評価ＤＢ１６に記憶されている。対象物毎にデザインカテゴリとデザイン要素が定義され、各デザイン要素の感性スコアが求められる。例えば、「名刺」と「広告」とでは、異なるデザインカテゴリとデザイン要素が定義される。
【００５１】
上記の感性スコアローデータに基づいて、感性評価データが求められる。図７には、感性評価データとしての感性評価テーブルの一例が示されている。この感性評価テーブルは、対象物「名刺」に関する感性スコアローデータに基づいて予め作成された「名刺」に関する感性評価テーブルであり、そのデータは感性評価ＤＢ１６に記憶されている。感性評価テーブルにおいては、感性ＩＤ、感性語、デザインカテゴリ（デザイン部分）毎の適合デザイン要素、及び、適合デザイン要素の感性スコアが対応付けられている。感性語は、テイストを示す感性情報の一例である。図７に示す例では、感性語として、「プリティ」、「カジュアル」、等が感性評価テーブルに含まれている。デザインカテゴリは、上述したように、対象物「名刺」を構成するデザイン部分であり、図７に示す例では、デザインカテゴリとして、「背景（のテンプレート）」、「（文字の）レイアウト」、「氏名のフォント」、等が感性評価テーブルに含まれている。適合デザイン要素は、それが属するデザインカテゴリに対して定義された複数のデザイン要素の中で、感性スコア（適合度）が最も高いデザイン要素である。
【００５２】
テイスト「プリティ」について説明すると、デザインカテゴリ「背景（のテンプレート）」に属する複数のデザイン要素の中で、デザイン要素「１．渦状の木」の感性スコア（０．７７２７）が最も高い。それ故、そのデザイン要素「１．渦状の木」が、デザインカテゴリ「背景（のテンプレート）」に関する適合デザイン要素として選択されている。また、デザインカテゴリ「（文字の）レイアウト」に属する複数のデザイン要素の中で、デザイン要素「１．前揃え」の感性スコア（０．０９１２）が最も高い。それ故、そのデザイン要素「１．前揃え」が、デザインカテゴリ「（文字の）レイアウト」に関する適合デザイン要素として選択されている。また、デザインカテゴリ「氏名のフォント」に属する複数のデザイン要素の中で、デザイン要素「７．えるまー」の感性スコア（０．１４１９）が最も高い。それ故、そのデザイン要素「７．えるまー」が、デザインカテゴリ「氏名のフォント」に関する適合デザイン要素として選択されている。
【００５３】
他のテイスト（感性語）及び他のデザインカテゴリについても同様に、感性スコアが最も高いデザイン要素が適合デザイン要素として選択されている。また、「名刺」以外の他の対象物についても同様に、適合デザイン要素が選択されて感性評価テーブルが作成される。
【００５４】
感性評価テーブルには、デザインカテゴリ毎に感性スコアが最も高いデザイン要素が含まれている。それ故、指定されたテイスト（感性語）に対応する適合デザイン要素を感性評価テーブルから取得し、適合デザイン要素を用いて対象物のデザインを作成することにより、指定されたテイストを有するデザインが作成される。
【００５５】
図８を参照して、関係性データについて説明する。図８には、関係性データとしての関係性テーブルの一例が示されている。この関係性テーブルは、対象物「名刺」に関して予め作成されたテーブルであり、そのデータは関係性ＤＢ１８に記憶されている。関係性テーブルにおいては、関係ＩＤ、感性語、意味の近い感性語、及び、距離が対応付けられている。意味の近い感性語は、テイストを示す感性情報の一例であり、対応する感性語が有する意味に近い意味を有する感性語、つまり、対応する感性語が示すテイストに近いテイストを示す感性語である。距離は、各感性語間において、それらが有する各意味（テイスト）の近さを示す指標値であり、例えば印象マップ上の距離である（図４参照）。この関係性テーブルを参照することにより、ある感性語との間で意味（テイスト）の近い感性語が特定される。
【００５６】
例えば、感性語「美しい」に対して、意味の近い感性語として感性語「プリティ」が対応付けられている。印象マップ上において、テイスト「美しい」の座標とテイスト「プリティ」の座標との間の距離は、０．０２６３である。この値が小さいほど、両感性語の意味（テイスト）が近いことになる。
【００５７】
図９を参照して、印象マップテーブルについて説明する。図９には、その印象マップテーブルの一例が示されている。この印象マップテーブルは、対象物「名刺」用の印象マップ上における各感性語（テイスト）の座標を示すテーブルであり、そのデータは予め作成されて印象マップＤＢ２０に記憶されている。図９に示す例では、感性語「プリティ」、「美しい」等について、印象マップ上におけるそれらの座標（ｘ、ｙ）が印象マップテーブルに含まれている。
【００５８】
図１０を参照して、類義語データについて説明する。図１０には、類義語データとしての類義語テーブルの一例が示されている。この類義語テーブルは、対象物「名刺」に関して予め作成されたテーブルであり、そのデータは類義語ＤＢ２２に記憶されている。類義語テーブルにおいては、感性語ＩＤ、感性語、及び、類義語（又は同義語）が対応付けられている。類義語は、対応する感性語が有する意味に近い意味を有する感性語、つまり、対応する感性語が示すテイストに近いテイストを示す感性語である。対応する感性語の同義語も、類義語群に含まれてもよい。
【００５９】
以下、図１１から図１４を参照して、「名刺」以外の対象物に関するデータについて説明する。図１１から図１４に示す例では、対象物は「衣服」である。対象物「衣服」についても、テイスト毎に感性スコアローデータが予め作成されて感性評価ＤＢ１６に記憶されている。また、印象マップとして、対象物「衣服」用の印象マップが定義されてもよいし、対象物「名刺」と同じ印象マップが用いられてもよい。
【００６０】
対象物「衣服」に関する感性スコアローデータに基づいて、対象物「衣服」に関する感性評価データが求められる。図１１には、その感性評価データとしての感性評価テーブルの一例が示されている。この感性評価テーブルは、対象物「衣服」に関する感性スコアローデータに基づいて作成された「衣服」に関する感性評価テーブルであり、そのデータは感性評価ＤＢ１６に記憶されている。「衣服」に関する感性評価テーブルにおいても、感性ＩＤ、感性語、デザインカテゴリ毎の適合デザイン要素、及び、適合デザイン要素の感性スコアが対応付けられている。図１１に示す例では、感性語として、「プリティ」、「カジュアル」、等が感性評価テーブルに含まれている。デザインカテゴリは、対象物「衣服」を構成するデザイン部分であり、図１１に示す例では、デザインカテゴリとして、「輪郭線」、「襟」、「ウエストライン」、等が感性評価テーブルに含まれている。適合デザイン要素は、それが属するデザインカテゴリに対して定義された複数のデザイン要素の中で、感性スコア（適合度）が最も高いデザイン要素である。
【００６１】
テイスト「プリティ」について説明すると、デザインカテゴリ「（衣服の）輪郭線」に属する複数のデザイン要素の中で、デザイン要素「３．Ｘライン」の感性スコア（０．５２４１）が最も高い。それ故、そのデザイン要素「３．Ｘライン」が、デザインカテゴリ「（衣服の）輪郭線」に関する適合デザイン要素として選択されている。また、デザインカテゴリ「襟」に属する複数のデザイン要素の中で、デザイン要素「２．立襟」の感性スコア（０．２８２０）が最も高い。それ故、そのデザイン要素「２．立襟」が、デザインカテゴリ「襟」に関する適合デザイン要素として選択されている。また、デザインカテゴリ「（衣服の）ウエストライン」に属する複数のデザイン要素の中で、デザイン要素「１．Ｈｉｇｈ」の感性スコア（０．１４０１）が最も高い。それ故、そのデザイン要素「１．Ｈｉｇｈ」が、デザインカテゴリ「（衣服の）ウエストライン」に関する適合デザイン要素として選択されている。他のテイスト（感性語）及び他のデザインカテゴリについても同様に、感性スコアが最も高いデザイン要素が適合デザイン要素として選択されている。
【００６２】
図１２を参照して、対象物「衣服」に関する関係性データについて説明する。図１２には、その関係性データとしての関係性テーブルの一例が示されている。この関係性テーブルは、対象物「衣服」に関して予め作成されたテーブルであり、そのデータは関係性ＤＢ１８に記憶されている。例えば、感性語「スポーティ」に対して、意味の近い感性語として感性語「カジュアル」が対応付けられている。印象マップ上において、テイスト「スポーティ」の座標とテイスト「カジュアル」の座標との間の距離は、０．０２０３である。
【００６３】
図１３を参照して、対象物「衣服」に関する印象マップテーブルについて説明する。図１３には、その印象マップテーブルの一例が示されている。この印象マップテーブルは、対象物「衣服」用の印象マップ上における各感性語（テイスト）の座標を示すテーブルであり、そのデータは予め作成されて印象マップＤＢ２０に記憶されている。図１３に示す例では、感性語「プリティ」、「楽な」等について、印象マップ上におけるそれらの座標（ｘ、ｙ）が印象マップテーブルに含まれている。
【００６４】
図１４を参照して、対象物「衣服」に関する類義語データについて説明する。図１４には、その類義語データとしての類義語テーブルの一例が示されている。この類義語テーブルは、対象物「衣服」に関して予め作成されたテーブルであり、そのデータは類義語ＤＢ２２に記憶されている。
【００６５】
以下、図１５を参照して、本実施形態に係るデザイン作成装置による処理について説明する。図１５には、その処理を示すフローチャートが示されている。
【００６６】
まず、ユーザにより、デザイン作成の対象物に対するテイスト（印象）を示す対象物感性語が入力される（Ｓ０１）。対象物感性語は対象物感性情報の一例に相当する。例えば、端末装置１２にて対象物感性語が入力されると、その対象物感性語を示す情報が、通信経路Ｎを介して、端末装置１２からデザイン作成装置１０に送信される。もちろん、デザイン作成装置１０にて対象物感性語が直接入力されてもよい。
【００６７】
次に、テイスト算出部２４は、感性評価ＤＢ１６を対象として対象物感性語を検索する。対象物感性語を示す情報が感性評価ＤＢ１６に記憶されている場合（Ｓ０２，Ｙｅｓ）、テイスト算出部２４は、その対象物感性語に対応付けられている適合デザイン要素を、対象物のデザインを作成するためのデザイン要素として採用する。デザイン作成部２６は、対象物感性語に対応付けられている適合デザイン要素を用いて、対象物のデザインを表すデータ（例えば対象物の画像データやテンプレートデータ等）を作成する（Ｓ０３）。そのデータは、通信経路Ｎを介してデザイン作成装置１０から端末装置１２に送信される。端末装置１２のＵＩ部３４には、そのデータに基づき、対象物の画像やテンプレート等が表示される。
【００６８】
例えば、対象物「名刺」のデザインを作成する場合において、対象物感性語として「プリティ」が入力されたものとする。図７に示すように、この対象物感性語は感性評価テーブルに含まれている。つまり、この対象物感性語を示す情報は感性評価ＤＢ１６に記憶されている。この場合、デザイン作成部２６は、対象物感性語「プリティ」に対応付けられている適合デザイン要素を用いて、「名刺」のデザインを表すデータを作成する。図７に示す例では、名刺の背景のデザインとして適合デザイン要素「１．渦状の木」が用いられ、文字のレイアウトとして適合デザイン要素「１．前揃え」が用いられ、氏名のフォントとして適合デザイン要素「７．えるまー」が用いられる。これにより、「名刺」のデザインとして、ユーザにより指定されたテイスト「プリティ」を有するデザインが作成される。そのデザインを有する名刺の画像やテンプレートが、端末装置１２のＵＩ部３４に表示される。
【００６９】
一方、対象物感性語を示す情報が感性評価ＤＢ１６に記憶されていない場合（Ｓ０２，Ｎｏ）、テイスト算出部２４は、関係性ＤＢ１８を対象として対象物感性語を検索する（Ｓ０４）。対象物感性語を示す情報が関係性ＤＢ１８に記憶されている場合（Ｓ０５，Ｙｅｓ）、テイスト算出部２４は、その対象物感性語が示す印象の隣接範囲に含まれる印象を有する隣接感性語を関係性ＤＢ１８から取得する（Ｓ０６）。隣接感性語は、対象物感性語が有する意味に近い意味を有する感性語である。つまり、対象物感性語が示すテイストに近いテイストを示す感性語が、隣接感性語に相当する。例えば、テイスト算出部２４は、図８に示されている関係性テーブルを参照し、対象物感性語に対応付けられている隣接感性語（意味の近い感性語）を関係性テーブルから取得する。
【００７０】
次に、テイスト算出部２４は、隣接感性語の感性スコアローデータを感性評価ＤＢ１６から取得する（Ｓ０７）。複数の隣接感性語が抽出された場合、各隣接感性語の感性スコアローデータが取得される。
【００７１】
次に、テイスト算出部２４は、対象物感性語が示すテイストと隣接感性語が示すテイストとの差、つまり、印象マップ上における対象物感性語の座標と隣接感性語の座標との間の距離を演算する。そして、テイスト算出部２４は、その距離と、隣接感性語に対応付けられているデザイン要素の感性スコアと、を用いて、デザインカテゴリ毎に、対象物感性語が示すテイストに対する各デザイン要素の感性スコアを演算する（Ｓ０８）。そして、テイスト算出部２４は、感性スコアに基づいて、対象物感性語が示すテイストに適合する適合デザイン要素を決定する（Ｓ０９）。テイスト算出部２４は、例えば、デザインカテゴリ毎に、当該デザインカテゴリに属する複数のデザイン要素の中から感性スコアが最も大きいデザイン要素を適用デザイン要素として選択する。この適用デザイン要素を用いて、対象物のデザインを表すデータが作成される（Ｓ０３）。そのデータは端末装置１２に送信され、端末装置１２に対象物の画像やテンプレートが表示される。
【００７２】
一方、対象物感性語を示す情報が関係性ＤＢ１８に記憶されていない場合（Ｓ０５，Ｎｏ）、テイスト算出部２４は、類義語ＤＢ２２を対象として対象物感性語を検索し（Ｓ１０）、対象物感性語の類義語を類義語ＤＢ２２から取得する（Ｓ１１）。例えば、テイスト算出部２４は、図１０に示されている類義語テーブルを参照し、対象物感性語の類義語（同義語）を抽出する。次に、テイスト算出部２４は、印象マップ上において、抽出された類義語の座標を用いて対象物感性語の仮座標を決定する（Ｓ１２）。一例として、類義語テーブルから３つの類義語が抽出され、感性マップ上において、各類義語の座標を含む円が形成され、その円の中心座標が特定される。次に、類義語テーブルに含まれる類義語群の中から、その中心座標から最も遠い座標に対応する類義語が抽出される。抽出された類義語の座標が円内に含まれる場合、その中心座標が対象物感性語の仮座標として特定される。抽出された類義語の座標が円内に含まれない場合、３つの類義語の中の１つが、最も遠い座標に対応する類義語に置き換えられて、置き換え後の３つの類義語を対象として上記の処理が行われる。最も遠い座標に対応する類義語の座標が円内に含まれるまで、上記の処理が繰り返される。対象物感性語の仮座標が特定された場合、テイスト算出部２４は、その仮座標に隣接する感性語（隣接感性語）を特定する（Ｓ１３）。次に、ステップＳ０７以降の処理が実行される。
【００７３】
以下、図１６を参照して、上記ステップＳ０６〜Ｓ０９の処理について詳しく説明する。図１６には、印象マップの一例が示されている。符号４８は、対象物感性語（例えばテイスト「かわいい」）に対応する座標を示している。符号５０は、感性語の抽出範囲を示している。抽出範囲は、例えば、対象物感性語の座標を中心とする円状の範囲である。その範囲の大きさ、形状は、予め決定されており、それらが任意に変更されてもよい。対象物感性語が感性評価ＤＢ１６に記憶されていない場合、抽出範囲内の座標に対応する感性語が隣接感性語として抽出される。例えば、符号５２，５４，５６で示す各座標に対応する感性語が、隣接感性語として抽出される。符号５２で示す座標はテイスト「若々しい」に対応しており、符号５４で示す座標はテイスト「プリティ」に対応しており、符号５６で示す座標はテイスト「遊び心のある」に対応している。
【００７４】
上述したステップＳ０８の処理（対象物感性語が示すテイストに対する各デザイン要素の感性スコアの演算処理）は、具体的には、以下の手順に従って行われる。以下の処理は、テイスト算出部２４によって行われる。
【００７５】
まず、以下の式（１）に従って、印象マップ３８上における対象物感性語の座標と隣接感性語の座標との間の距離が演算される。
【数１】
0006572746.tif 000002
【００７６】
（ｘｔ，ｙｔ）は、対象物感性語の座標である。
（ｘ１，ｙ１）は、符号５２で示す座標（隣接感性語の座標）である。
（ｘ２，ｙ２）は、符号５４で示す座標（隣接感性語の座標）である。
（ｘｎ，ｙｎ）は、符号５６で示す座標（隣接感性語の座標）である。
ｎは、抽出範囲内に含まれる隣接感性語の数である。
Ｄｉｓｔ１は、対象物感性語「かわいい」と隣接感性語「若々しい」との間の距離である。
Ｄｉｓｔ２は、対象物感性語「かわいい」と隣接感性語「プリティ」との間の距離である。
Ｄｉｓｔｎは、対象物感性語「かわいい」と隣接感性語「遊び心のある」との間の距離である。
【００７７】
次に、以下の式（２）に従って、距離の総和に対する各距離の割合が演算される。
【数２】
0006572746.tif 000003
【００７８】
対象物感性語との間の距離が短い隣接感性語ほど、つまり、対象物感性語が示すテイストとの差が小さい隣接感性語ほど、距離の総和に対する距離の割合（Ｒａｔｅ０ｆＤｉｓｔ）が小さくなる。
【００７９】
次に、以下の式（３）に従って、対象物感性語が示すテイストに対する各隣接感性語の寄与度が演算される。ｎは、隣接感性語の数である。
【数３】
0006572746.tif 000004
【００８０】
その演算結果が以下の式（４）に示されている。
【数４】
0006572746.tif 000005
【００８１】
対象物感性語との間の距離が短い隣接感性語ほど、つまり、対象物感性語が示すテイストとの差が小さい隣接感性語ほど、寄与度（Ｒａｔｅ）が大きくなる。
【００８２】
次に、以下の式（５）に従って、対象物感性語が示すテイストに対する各デザイン要素の感性スコアが演算（推定）される。
【数５】
0006572746.tif 000006
【００８３】
ｋは、デザイン要素を識別するための番号である。
Ｋｉ＿ＣＳｃｏｒｅｋは、隣接感性語に対応付けられているデザイン要素ｋの感性スコアである。
Ｋｔ＿ＣＳｃｏｒｅｋは、対象物感性語が示すテイストに対応するデザイン要素ｋの感性スコアである。
【００８４】
上記の式（５）に従って、対象物感性語が示すテイストに対する各デザイン要素の感性スコアが演算されると、デザインカテゴリ毎に、複数のデザイン要素の中から、感性スコアが最も大きいデザイン要素が適用デザイン要素として選択される。この適用デザイン要素を用いて、対象物のデザインが作成される。
【００８５】
以下、具体例を挙げて、本実施形態に係るデザイン作成装置１０による処理について説明する。一例として、「名刺」のデザインを作成するものとする。そのデザインを作成する際に、端末装置１２において、ユーザにより、名刺に表示される名刺情報（ユーザの個人情報）と対象物感性語（テイスト）が入力される。それらの情報は、通信経路Ｎを介して端末装置１２からデザイン作成装置１０に送信される。もちろん、それらの情報はデザイン作成装置１０に直接入力されてもよい。
【００８６】
ここで、図１７を参照して、名刺情報を入力するための画面について説明する。図１７には、その画面の一例が示されている。名刺情報登録画面５８は、名刺情報を入力するための画面であり、例えば、端末装置１２のＵＩ部３４に表示される。名刺情報登録画面５８には入力欄６０が含まれており、その入力欄６０に、氏名等の名刺情報（個人情報）が入力されるようになっている。入力欄６０に名刺情報が入力されると、その名刺情報が表示された名刺の画像６２が、名刺情報登録画面５８に表示される。その画像６２は、デフォルトのデザインを有する名刺の画像である。
【００８７】
対象物感性語を示す情報が感性評価ＤＢ１６に記憶されている場合、その対象物感性語に対応付けられている各適合デザイン要素、つまり、各デザインカテゴリにおいて最大の感性スコアを有するデザイン要素を用いて、対象物「名刺」のデザインが作成される。
【００８８】
図１８には、適合デザイン要素を用いて作成された対象物「名刺」のデザインの一例が示されている。一例として、対象物感性語「ダイナミック」がユーザにより指定されたものとする。この場合、対象物感性語「ダイナミック」に対応付けられている各適合デザイン要素を用いてデザインが作成される。例えば図５及び図６に示すように、デザインカテゴリ「背景（のテンプレート）」の適合デザイン要素は「７：太い斜線」であり、デザインカテゴリ「文字要素の分布」の適合デザイン要素は「６：放射」である。他のデザインカテゴリについても適合デザイン要素が決定されている。これらの適合デザイン要素を用いて、「ダイナミック」な印象を与えるデザインを有する名刺の画像６４が作成される。この画像６４には、ユーザにより入力された名刺情報が表されている。画像６４のデータは、例えばデザイン作成装置１０から端末装置１２に送信され、端末装置１２のＵＩ部３４には、画像６４が表示される。画像６４は、例えばテンプレートとして機能し、ユーザにより編集されてもよい。例えば、フォントの種類、文字の配置、色、デザイン、名刺情報、等が、ユーザにより編集される。
【００８９】
以下、ユーザにより指定された対象物感性語を示す情報が感性評価ＤＢ１６に記憶されていない場合について説明する。
【００９０】
（実施例１）
以下、実施例１について説明する。実施例１では、対象物「名刺」のデザインを作成するものとする。また、ユーザにより指定された対象物感性語を示す情報が感性評価ＤＢ１６に記憶されておらず、関係性ＤＢ１８に記憶されているものとする。
【００９１】
まず、端末装置１２において、ユーザにより、名刺に表示される名刺情報（ユーザの個人情報）と対象物感性語（テイスト）が入力される。また、デザイン作成の対象物として「名刺」が指定される。それらの情報は、通信経路Ｎを介して端末装置１２からデザイン作成装置１０に送信される。もちろん、それらの情報はデザイン作成装置１０に直接入力されてもよい。実施例１では、対象物感性語として感性語「美しい」がユーザにより指定されたものとする。
【００９２】
図１９には、入力された個人情報（名刺情報）の一例が示されている。例えば、氏名、会社名、部署、肩書、住所、電子メール、電話番号、等が、個人情報として入力される。
【００９３】
対象物感性語「美しい」を示す情報が感性評価ＤＢ１６に記憶されておらず、関係性ＤＢ１８に記憶されている場合、テイスト算出部２４は、対象物感性語「美しい」の意味に近い意味を有する隣接感性語を関係性ＤＢ１８から抽出する。例えば、テイスト算出部２４は、図８に示されている関係性テーブルを参照し、対象物感性語「美しい」に対応付けられている隣接感性語（意味の近い感性語）を関係性テーブルから抽出する。対象物感性語との間の距離が基準距離以下となる感性語が、隣接感性語として抽出されてもよい。その基準距離は、予め設定された値であり、ユーザ等により任意の値に変更されてもよい。図２０には、抽出された隣接感性語の一例が示されている。一例として、対象物感性語「美しい」との間の距離が０．１以下となる感性語、例えば、感性語「プリティ」、「ロマンチック」及び「若々しい」が、隣接感性語として抽出されている。
【００９４】
次に、テイスト算出部２４は、隣接感性語「プリティ」、「ロマンチック」及び「若々しい」のそれぞれの感性スコアローデータを感性評価ＤＢ１６から取得する。図２１には、その感性スコアローデータの一例が示されている。各隣接感性語の感性スコアローデータには、各デザインカテゴリに属する各デザイン要素の感性スコアが含まれている。背景１，２，３，・・・は、デザインカテゴリ「背景のテンプレート」に属するデザイン要素であり、各デザイン要素の感性スコアが予め求められている。他のデザインカテゴリについても同様に、各デザイン要素の感性スコアが予め求められている。
【００９５】
次に、テイスト算出部２４は、上記の式（４）に従って、各隣接感性語の寄与度Ｒａｔｅを演算する。下記の式（６）は、各寄与度の具体的な計算式である。Ｒａｔｅ１は隣接感性語「プリティ」の寄与度であり、Ｒａｔｅ２は隣接感性語「ロマンチック」の寄与度であり、Ｒａｔｅ３は隣接感性語「若々しい」の寄与度である。Ｄｉｓｔ１は、対象物感性語「美しい」と隣接感性語「プリティ」との間の距離であり、Ｄｉｓｔ２は、対象物感性語「美しい」と隣接感性語「ロマンチック」との間の距離であり、Ｄｉｓｔ３は、対象物感性語「美しい」と隣接感性語「若々しい」との間の距離である。
【数６】
0006572746.tif 000007
【００９６】
次に、テイスト算出部２４は、各隣接感性語の寄与度Ｒａｔｅと、各隣接感性語に対応付けられているデザイン要素の感性スコアと、を用い、上記の式（５）に従って、対象物感性語「美しい」に対する各デザイン要素の感性スコアを演算する。例えば、対象物感性語「美しい」に対するデザイン要素「背景１」の感性スコアは、以下のようにして求められる。
デザイン要素「背景１」の感性スコア＝
「プリティ」の「背景１」の感性スコア×「プリティ」の寄与度Ｒａｔｅ１＋
「ロマンチック」の「背景１」の感性スコア×「ロマンチック」の寄与度Ｒａｔｅ２＋
「若々しい」の「背景１」の感性スコア×「若々しい」の寄与度Ｒａｔｅ３
＝０．７７２７×０．４１８１＋０．６５１２×０．３８８５＋０．４２１２×０．１９３４
＝０．６５７５
【００９７】
以上のようにして、対象物感性語「美しい」について、各デザインカテゴリに属する各デザイン要素の感性スコアが演算（推定）され、これにより、対象物感性語「美しい」についての感性スコアローデータが演算（推定）される。
【００９８】
図２２には、演算（推定）された感性スコアローデータの一例が示されている。対象物感性語「美しい」についての感性スコアローデータには、各デザインカテゴリに属する各デザイン要素の感性スコアが含まれている。各感性スコアは、上記の式（５）に従って演算された値である。図２２には、デザインカテゴリ「背景のテンプレート」に属するデザイン要素「背景１，２，３，・・・」の感性スコアが示されている。他のデザインカテゴリについても同様に、各デザイン要素の感性スコアが演算される。
【００９９】
次に、テイスト算出部２４は、対象物感性語「美しい」についての感性スコアローデータに基づいて、対象物感性語「美しい」に適合する適合デザイン要素を決定する。具体的には、テイスト算出部２４は、デザインカテゴリ毎に、複数のデザイン要素の中から感性スコアが最も大きいデザイン要素（最大デザイン要素）を選択する。そして、テイスト算出部２４は、感性評価ＤＢ１６に記憶されている各テイスト（感性語）の感性スコアローデータを参照し、デザインカテゴリ毎に、各テイストの感性スコアローデータに規定されている複数のデザイン要素の中で、最大デザイン要素に最も近い感性スコアを有するデザイン要素を、対象物感性語に対する適合デザイン要素として採用する。例えば、デザインカテゴリ「背景（のテンプレート）」に属する複数のデザイン要素（背景１，２，３，・・・）の中で、デザイン要素「背景１」の感性スコア（０．６５７５）が最も高い。それ故、デザイン要素「背景１」が、デザインカテゴリ「背景（のテンプレート）」に関する最大デザイン要素として選択される。そして、各テイスト（感性語）の感性スコアローデータにおいて、デザインカテゴリ「背景（のテンプレート）」に属する複数のデザイン要素の中で、最大デザイン要素「背景１」の感性スコア（０．６５７５）に最も近い感性スコアを有するデザイン要素が、デザインカテゴリ「背景（のテンプレート）」に関する適合デザイン要素として採用される。デザインカテゴリ毎に適合デザイン要素が決定され、これにより、対象物感性語「美しい」についての感性評価データが演算（推定）される。
【０１００】
図２３には、演算（推定）された感性評価データとしての感性評価テーブルの一例が示されている。図２２に示すように、デザインカテゴリ「背景（のテンプレート）」に関しては、デザイン要素「背景１」の感性スコア（０．６５７５）が最大であるため、その感性スコア（０．６５７５）に最も近い感性スコアを有するデザイン要素が、適合デザイン要素として採用されている。具体的には、デザイン要素「１．渦状の木」の感性スコアが０．６５７５であるため、デザイン要素「１．渦状の木」が適合デザイン要素として採用されている。他のデザインカテゴリについても同様にして適合デザイン要素が決定される。
【０１０１】
対象物感性語「美しい」についての感性評価データが演算（推定）されると、デザイン作成部２６は、その感性評価データに含まれている各適合デザイン要素を用いて、対象物「名刺」のデザインを表すデータ（例えば「名刺」の画像データやテンプレートデータ等）を作成する。そのデータは、デザイン作成装置１０から端末装置１２に送信され、端末装置１２のＵＩ部３４には、名刺の画像やテンプレート等が表示される。端末装置１２において、名刺のデザインや名刺情報が編集されてもよい。
【０１０２】
以上の処理により、ユーザにより指定された対象物感性語が感性評価ＤＢ１６に記憶されていない場合において、その対象物感性語が関係性ＤＢ１８に記憶されている場合、隣接感性語に対応付けられている各デザイン要素により補間して、対象物のデザインが作成される。これにより、対象物感性語についての適合デザイン要素が予め決定されていない場合であっても、対象物感性語用の適合デザイン要素が推定され、対象物感性語が示すテイストと同一のテイスト又はそれに近いテイストを有するデザインが作成される。隣接感性語は、他の感性語と比べて、対象物感性語に近い意味（テイスト）を有する。それ故、隣接感性語の適合デザイン要素により補間して対象物のデザインを作成することにより、隣接感性語以外の感性語の適合デザイン要素を用いる場合と比べて、対象物感性語が示すテイストにより近いテイストを有するデザインが作成される。
【０１０３】
（実施例２）
以下、実施例２について説明する。実施例２では、対象物「名刺」のデザインを作成するものとする。また、ユーザにより指定された対象物感性語を示す情報が、感性評価ＤＢ１６と関係性ＤＢ１８のいずれにも記憶されていないものとする。
【０１０４】
まず、ユーザにより、名刺情報（ユーザの個人情報）と対象物感性語（テイスト）が入力される。また、デザイン作成の対象物として「名刺」が指定される。実施例２では、対象物感性語として感性語「ビューティフル」がユーザにより指定されたものとする。ユーザの個人情報（名刺情報）は、例えば図１９に示されている情報と同じである。
【０１０５】
対象物感性語「ビューティフル」を示す情報が、感性評価ＤＢ１６と関係性ＤＢ１８のいずれにも記憶されていない場合、テイスト算出部２４は、類義語ＤＢ２２を対象として対象物感性語「ビューティフル」を検索し、対象物感性語「ビューティフル」の類義語(同義語)を類義語ＤＢ２２から抽出する。例えば、テイスト算出部２４は、図１０に示されている類義語テーブルを参照し、対象物感性語「ビューティフル」の類義語（同義語）を抽出する。
【０１０６】
図２４には、対象物感性語「ビューティフル」の類義語（同義語）の一例が示されている。テイスト算出部２４は、その類義語リストの中から複数の類義語を抽出する。一例として、関係性ＤＢ１８に登録されている３つの類義語（例えば、「美しい」、「きれいな」、「可愛い」）が抽出される。図２５には、印象マップ上における類義語の座標が示されている。
【０１０７】
次に、テイスト算出部２４は、印象マップ上において、３つの類義語を用いて対象物感性語「ビューティフル」の仮座標を決定する。具体的には、テイスト算出部２４は、印象マップ上において、３つの類義語の座標を含む円を形成し、その円の中心座標を対象物感性語「ビューティフル」の仮座標として推定する。次に、テイスト算出部２４は、その仮座標に隣接する座標に対応付けられている感性語（隣接感性語）を特定する。例えば、仮座標に最も近い感性語と２番目に近い感性語が、隣接感性語として選択される。一例として、感性語「プリティ」、「ロマンチック」が、隣接感性語として選択されたものとする。図２６には、その隣接感性語の座標が示されている。なお、３つ以上の隣接感性語が選択されてもよい。
【０１０８】
次に、テイスト算出部２４は、上記の実施例１と同様に、各隣接感性語の感性スコアローデータを取得し、上記の式（４）に従って各隣接感性語の寄与度Ｒａｔｅを演算し、上記の式（５）に従って各デザイン要素の感性スコアを演算する。これにより、対象物感性語「ビューティフル」についての感性スコアローデータが演算（推定）される。そして、テイスト算出部２４は、その感性スコアローデータに基づいて、対象物感性語「ビューティフル」に適合する適合デザイン要素を決定する。これにより、対象物感性語「ビューティフル」についての感性評価データが演算（推定）される。デザイン作成部２６は、その感性評価データに含まれる各適合デザイン要素を用いて、対象物「名刺」のデザインを表すデータ（画像データやテンプレートデータ等）を作成する。そのデータは、デザイン作成装置１０から端末装置１２に送信され、端末装置１２のＵＩ部３４には、名刺の画像やテンプレート等が表示される。
【０１０９】
以上の処理により、ユーザにより指定された対象物感性語が感性評価ＤＢ１６と関係性ＤＢ１８のいずれにも記憶されていない場合、対象物感性語の類義語（同義語）に基づいて隣接感性語が選択され、隣接感性語に対応付けられている各デザイン要素により補間して、対象物のデザインが作成される。これにより、対象物感性語についての適合デザイン要素が予め作成されておらず、その対象物感性語に対する隣接感性語が予め定義されていない場合であっても、対象物感性語が示すテイストと同一のテイスト又はそれに近いテイストを有するデザインが作成される。対象物感性語の類義語（同義語）は、対象物感性語と同一又は類似の意味（テイスト）を有する。それ故、類義語（同義語）を用いることにより、類義語（同義語）以外の感性語を用いる場合と比べて、対象物感性語が示すテイストにより近いテイストを有するデザインが作成される。
【０１１０】
（実施例３）
以下、実施例３について説明する。実施例３では、ユーザにより、好ましい対象物感性語と好ましくない対象物感性語が指定される。好ましい対象物感性語は、目標とするデザインのテイストを示しており、好ましくない対象物感性語は、目標とするデザインに適していないテイスト、つまり、除外対象のテイストを示している。実施例３では、対象物「名刺」のデザインを作成するものとする。また、ユーザにより指定された対象物感性語を示す情報が感性評価ＤＢ１６に記憶されておらず、関係性ＤＢ１８に記憶されているものとする。
【０１１１】
まず、端末装置１２において、ユーザにより、名刺情報（ユーザの個人情報）、好ましい対象物感性語、及び、好ましくない対象物感性語（除外対象感性情報）が入力される。また、デザイン作成の対象物として「名刺」が指定される。実施例３では、好ましい対象物感性語として「美しい」が指定され、好ましくない対象物感性語として「キュート」が指定されたものとする。ユーザの個人情報（名刺情報）は、例えば図１９に示されている情報と同じである。
【０１１２】
対象物感性語「美しい」、「キュート」を示す情報が感性評価ＤＢ１６に記憶されておらず、関係性ＤＢ１８に記憶されている場合、テイスト算出部２４は、好ましい対象物感性語「美しい」の意味に近い意味を有する隣接感性語を関係性ＤＢ１８から抽出し、好ましくない対象物感性語「キュート」の意味に近い意味を有する隣接感性語を関係性ＤＢ１８から抽出する。例えば、テイスト算出部２４は、図８に示されている関係性テーブルを参照し、好ましい対象物感性語「美しい」に対応付けられている隣接感性語（意味の近い感性語）と好ましくない対象物感性語「キュート」に対応付けられている隣接感性語を、関係性テーブルから抽出する。例えば、対象物感性語との間の距離が基準距離以下となる感性語が、隣接感性語として抽出される。
【０１１３】
図２７には、好ましい対象物感性語「美しい」の意味に近い意味を有する隣接感性語の一例が示されている。図２８には、好ましくない対象物感性語「キュート」の意味に近い意味を有する隣接感性語の一例が示されている。一例として、対象物感性語「美しい」、「キュート」との間の距離が０．１以下となる感性語が、隣接感性語として抽出されている。具体的には、好ましい対象物感性語に関連する隣接感性語として、「プリティ」、「ロマンチック」、「若々しい」が抽出されており、好ましくない対象物感性語に関連する隣接感性語として、「プリティ」、「ロマンチック」、「若々しい」が抽出されている。
【０１１４】
テイスト算出部２４は、好ましい対象物感性語に関連する隣接感性語群の距離と、好ましくない対象物感性語に関連する隣接感性語群の距離、とを対比し、好ましい対象物感性語「美しい」との間の距離が、好ましくない対象物感性語「キュート」との間の距離よりも短い隣接感性語を、演算用の隣接感性語として抽出する。図２７と図２８に示す例では、好ましい対象物感性語「美しい」と感性語「プリティ」、「ロマンチック」との間の距離は、好ましくない対象物感性語「キュート」と感性語「プリティ」、「ロマンチック」との間の距離よりも短い。それ故、感性語「プリティ」、「ロマンチック」が、演算用の隣接感性語として抽出される。一方、好ましい対象物感性語「美しい」と感性語「若々しい」との間の距離は、好ましくない対象物感性語「キュート」と感性語「若々しい」との間の距離よりも長い。それ故、感性語「若々しい」は、演算用の隣接感性語として抽出されない。
【０１１５】
次に、テイスト算出部２４は、演算用の隣接感性語「プリティ」及び「ロマンチック」のそれぞれの感性スコアローデータを感性評価ＤＢ１６から取得する。図２９には、その感性スコアローデータの一例が示されている。各演算用の隣接感性語の感性スコアローデータには、各デザインカテゴリに属する各デザイン要素の感性スコアが含まれている。背景１，２，３，・・・は、デザインカテゴリ「背景のテンプレート」に属するデザイン要素であり、各デザイン要素の感性スコアが予め求められている。他のデザインカテゴリについても同様に、各デザイン要素の感性スコアが予め求められている。
【０１１６】
次に、テイスト算出部２４は、実施例１と同様に、上記の式（４）に従って、各演算用の隣接感性語の寄与度Ｒａｔｅを演算する。下記の式（７）は、各寄与度の具体的な計算式である。Ｒａｔｅ１は隣接感性語「プリティ」の寄与度であり、Ｒａｔｅ２は隣接感性語「ロマンチック」の寄与度である。Ｄｉｓｔ１は、好ましい対象物感性語「美しい」と隣接感性語「プリティ」との間の距離であり、Ｄｉｓｔ２は、好ましい対象物感性語「美しい」と隣接感性語「ロマンチック」との間の距離である。
【数７】
0006572746.tif 000008
【０１１７】
次に、テイスト算出部２４は、各隣接感性語の寄与度Ｒａｔｅと、各隣接感性語に対応付けられているデザイン要素の感性スコアと、を用い、上記の式（５）に従って、好ましい対象物感性語「美しい」に対する各デザイン要素の感性スコアを演算する。例えば、好ましい対象物感性語「美しい」に対するデザイン要素「背景１」の感性スコアは、以下のようにして求められる。
デザイン要素「背景１」の感性スコア＝
「プリティ」の「背景１」の感性スコア×「プリティ」の寄与度Ｒａｔｅ１＋
「ロマンチック」の「背景１」の感性スコア×「ロマンチック」の寄与度Ｒａｔｅ２
＝０．７７２７×０．５７６５＋０．６５１２×０．４２３５
＝０．７２１２
【０１１８】
以上のようにして、好ましい対象物感性語「美しい」について、各デザインカテゴリに属する各デザイン要素の感性スコアが演算（推定）され、これにより、好ましい対象物感性語「美しい」についての感性スコアローデータが演算（推定）される。
【０１１９】
図３０には、演算（推定）された感性スコアローデータの一例が示されている。好ましい対象物感性語「美しい」についての感性スコアローデータには、各デザインカテゴリに属する各デザイン要素の感性スコアが含まれている。各感性スコアは、上記の式（５）に従って演算された値である。図３０には、デザインカテゴリ「背景のテンプレート」に属するデザイン要素「背景１，２，３，・・・」の感性スコアが示されている。他のデザインカテゴリについても同様に、各デザイン要素の感性スコアが演算される。
【０１２０】
次に、テイスト算出部２４は、実施例１と同様に、好ましい対象物感性語「美しい」についての感性スコアローデータに基づいて、好ましい対象物感性語「美しい」に適用する適合デザイン要素を決定する。具体的には、テイスト算出部２４は、デザインカテゴリ毎に、複数のデザイン要素の中から感性スコアが最も大きいデザイン要素（最大デザイン要素）を選択する。そして、テイスト算出部２４は、感性評価ＤＢ１６に記憶されている各テイスト（感性語）の感性スコアローデータを参照し、各テイストの感性スコアローデータに規定されている複数のデザイン要素の中で、デザインカテゴリ毎に、最大デザイン要素に最も近い感性スコアを有するデザイン要素を、好ましい対象物感性語「美しい」の適用デザイン要素として採用する。例えば、デザインカテゴリ「背景（のテンプレート）」に属する複数のデザイン要素（背景１，２，３，・・・）の中で、デザイン要素「背景１」の感性スコア（０．７２１２）が最も高い。それ故、デザイン要素「背景１」が、デザインカテゴリ「背景（のテンプレート）」に関する最大デザイン要素として選択される。そして、各テイスト（感性語）の感性スコアローデータにおいて、デザインカテゴリ「背景（のテンプレート）」に属する複数のデザイン要素の中で、最大デザイン要素「背景１」の感性スコア（０．７２１２）に最も近い感性スコアを有するデザイン要素が、デザインカテゴリ「背景（のテンプレート）」に関する適合デザイン要素として採用される。デザインカテゴリ毎に適合デザイン要素が決定され、これにより、好ましい対象物感性語「美しい」についての感性評価データが演算（推定）される。
【０１２１】
図３１には、演算（推定）された感性評価データとしての感性評価テーブルの一例が示されている。図３０に示すように、デザインカテゴリ「背景（のテンプレート）」に関しては、デザイン要素「背景１」の感性スコア（０．７２１２）が最大であるため、その感性スコア（０．７２１２）に最も近い感性スコアを有するデザイン要素が、適合デザイン要素として採用されている。他のデザインカテゴリについても同様に適合デザイン要素が決定される。
【０１２２】
好ましい対象物感性語「美しい」についての感性評価データが演算（推定）されると、デザイン作成部２６は、その感性評価データに含まれている各適合デザイン要素を用いて、対象物「名刺」のデザインを有するデータ（例えば「名刺」の画像データやテンプレートデータ等）を作成する。そのデータは、デザイン作成装置１０から端末装置１２に送信され、端末装置１２のＵＩ部３４には、名刺の画像やテンプレート等が表示される。
【０１２３】
以上の処理により、好ましい対象物感性語との間の距離よりも、好ましくない対象物感性語との間の距離が短い隣接感性語が除外され、除外されない隣接感性語に対応付けられている各デザイン要素により補間して、対象物のデザインが作成される。これにより、好ましくない対象感性語との間の距離が短い隣接感性語を除外しない場合と比べて、好ましい対象物感性語が示すテイストにより近いテイストを有するデザインが作成される。好ましくない対象感性語との間の距離が短い隣接感性語を除外しない場合には、好ましくない対象物感性語に対応付けられているデザイン要素の影響を受け、その分、目標のデザインから離れたテイストを有するデザインが作成され得る。実施例３によると、その影響が除外されるので、目標のデザインにより近いデザインが作成される。
【０１２４】
（実施例４）
以下、実施例４について説明する。上記の実施例１〜３では、名刺のデザインが作成されているが、本実施形態は、文書以外の対象物に対して適用されてもよい。実施例４では、その一例として、衣服（具体的にはオーバーコート）のデザインを作成するものとする。また、ユーザにより指定された対象物感性語を示す情報が感性評価ＤＢ１６に記憶されておらず、関係性ＤＢ１８に記憶されているものとする。実施例４に係る処理は、実施例１に係る処理を同じである。
【０１２５】
まず、端末装置１２において、ユーザにより、対象物感性語（テイスト）が入力される。また、デザイン作成の対象物として「衣服（オーバーコート）」が指定される。入力された情報は、通信経路Ｎを介して端末装置１２からデザイン作成装置１０に送信される。もちろん、それらの情報はデザイン作成装置１０に直接入力されてもよい。実施例４では、対象物感性語として感性語「スポーティ」がユーザにより指定されたものとする。
【０１２６】
対象物感性語「スポーティ」を示す情報が感性評価ＤＢ１６に記憶されておらず、関係性ＤＢ１８に記憶されている場合、テイスト算出部２４は、対象物感性語「スポーティ」の意味に近い意味を有する隣接感性語を関係性ＤＢ１８から抽出する。例えば、テイスト算出部２４は、図１２に示されている関係性テーブルを参照し、対象物感性語「スポーティ」に対応付けられている隣接感性語を関係性テーブルから抽出する。対象物感性語との間の距離が基準距離以下となる感性語が、隣接感性語として抽出されてもよい。図３２には、抽出された隣接感性語の一例が示されている。一例として、対象物感性語「スポーティ」との間の距離が０．１以下となる感性語、例えば、感性語「カジュアル」、「ポップ」及び「ナチュラル」が、隣接感性語として抽出されている。
【０１２７】
次に、テイスト算出部２４は、隣接感性語「カジュアル」、「ポップ」及び「ナチュラル」のそれぞれの感性スコアローデータを感性評価ＤＢ１６から取得する。図３３には、その感性スコアローデータの一例が示されている。各隣接感性語の感性スコアローデータには、各デザインカテゴリに属する各デザイン要素の感性スコアが含まれている。輪郭線１，２，３は、デザインカテゴリ「（衣服の）輪郭線」に属するデザイン要素であり、襟１，２，３，・・・は、デザインカテゴリ「（衣服の）襟」に属するデザイン要素である。各デザイン要素の感性スコアは予め求められている。他のデザインカテゴリについても同様に、各デザイン要素の感性スコアが予め求められている。
【０１２８】
次に、テイスト算出部２４は、上記の式（４）に従って、各隣接感性語の寄与度Ｒａｔｅを演算する。下記の式（８）は、各寄与度の具体的な計算式である。Ｒａｔｅ１は隣接感性語「カジュアル」の寄与度であり、Ｒａｔｅ２は隣接感性語「ポップ」の寄与度であり、Ｒａｔｅ３は隣接感性語「ナチュラル」の寄与度である。Ｄｉｓｔ１は、対象物感性語「スポーティ」と隣接感性語「カジュアル」との間の距離であり、Ｄｉｓｔ２は、対象物感性語「スポーティ」と隣接感性語「ポップ」との間の距離であり、Ｄｉｓｔ３は、対象物感性語「スポーティ」と隣接感性語「ナチュラル」との間の距離である。
【数８】
0006572746.tif 000009
【０１２９】
次に、テイスト算出部２４は、各隣接感性語の寄与度Ｒａｔｅと、各隣接感性語に対応付けられているデザイン要素の感性スコアと、を用い、上記の式（５）に従って、対象物感性語「スポーティ」に対する各デザイン要素の感性スコアを演算する。例えば、対象物感性語「スポーティ」に対するデザイン要素「輪郭線１」の感性スコアは、以下のようにして求められる。
デザイン要素「輪郭線１」の感性スコア＝
「カジュアル」の「輪郭線１」の感性スコア×「カジュアル」の寄与度Ｒａｔｅ１＋
「ポップ」の「輪郭線１」の感性スコア×「ポップ」の寄与度Ｒａｔｅ２＋
「ナチュラル」の「輪郭線１」の感性スコア×「ナチュラル」の寄与度Ｒａｔｅ３
＝０．２１５２×０．４２６４＋０．５３１２×０．２８９５＋０．１４９６×０．２８４１
＝０．２８８０
【０１３０】
以上のようにして、対象物感性語「スポーティ」について、各デザインカテゴリに属する各デザイン要素の感性スコアが演算（推定）され、これにより、対象物感性語「スポーティ」についての感性スコアローデータが演算（推定）される。
【０１３１】
図３４には、演算（推定）された感性スコアローデータの一例が示されている。対象物感性語「スポーティ」についての感性スコアローデータには、各デザインカテゴリに属する各デザイン要素の感性スコアが含まれている。各感性スコアは、上記の式（５）に従って演算された値である。図３４には、デザインカテゴリ「（衣服の）輪郭線」に属するデザイン要素「輪郭線１，２，３」の感性スコアとデザインカテゴリ「（衣服の）襟」に属するデザイン要素「襟１，２，３，・・・」の感性スコアが示されている。他のデザインカテゴリについても同様に、各デザイン要素の感性スコアが演算される。
【０１３２】
次に、テイスト算出部２４は、対象物感性語「スポーティ」についての感性スコアローデータに基づいて、対象物感性語「スポーティ」に適合する適合デザイン要素を決定する。具体的には、テイスト算出部２４は、デザインカテゴリ毎に、複数のデザイン要素の中から感性スコアが最も大きいデザイン要素（最大デザイン要素）を選択する。そして、テイスト算出部２４は、感性評価ＤＢ１６に記憶されている各テイスト（感性語）の感性スコアローデータを参照し、デザインカテゴリ毎に、各テイストの感性スコアローデータに規定されている複数のデザイン要素の中で、最大デザイン要素に最も近い感性スコアを有するデザイン要素を、対象物感性語「スポーティ」の適合デザイン要素として採用する。例えば、デザインカテゴリ「（衣服の）輪郭線」に属する複数のデザイン要素（輪郭線１，２，３）の中で、デザイン要素「輪郭線２」の感性スコア（０．４１２１）が最も高い。それ故、デザイン要素「輪郭線２」が、デザインカテゴリ「（衣服の）輪郭線」に関する最大デザイン要素として選択される。そして、各テイスト（感性語）の感性スコアローデータにおいて、デザインカテゴリ「（衣服の）輪郭線」に属する複数のデザイン要素の中で、最大デザイン要素「輪郭線２」の感性スコア（０．４１２１）に最も近い感性スコアを有するデザイン要素が、デザインカテゴリ「（衣服の）輪郭線」に関する適合デザイン要素として採用される。デザインカテゴリ毎に適合デザイン要素が決定され、これにより、対象物感性語「スポーティ」についての感性評価データが演算（推定）される。
【０１３３】
図３５には、演算（推定）された感性評価データとしての感性評価テーブルの一例が示されている。図３４に示すように、デザインカテゴリ「（衣服の）輪郭線」に関しては、デザイン要素「輪郭線２」の感性スコア（０．４１２）が最大であるため、その感性スコア（０．４１２）に最も近い感性スコアを有するデザイン要素が、適合デザイン要素として採用されている。具体的には、デザイン要素「２．Ｈライン」の感性スコアが０．４１２１であるため、デザイン要素「２．Ｈライン」が適用デザイン要素として採用されている。他のデザインカテゴリについても同様にして適合デザイン要素が決定される。
【０１３４】
対象物感性語「スポーティ」についての感性評価データが演算（推定）されると、デザイン作成部２６は、その感性評価データに含まれている各適合デザイン要素を用いて、対象物「衣服（オーバーコート）」のデザインを表すデータ（例えば「オーバーコート」の画像データやテンプレートデータ等）を作成する。そのデータは、デザイン作成装置１０から端末装置１２に送信され、端末装置１２のＵＩ部３４には、オーバーコートの画像やテンプレート等が表示される。端末装置１２において、オーバーコートのデザインが編集されてもよい。
【０１３５】
以上の処理により、文書以外の対象物のデザインを作成する場合であっても、隣接感性語に対応付けられている各デザイン要素により補間して、対象物のデザインが作成される。これにより、対象物感性語についての適合デザイン要素が予め定義されていない場合であっても、対象物感性語が示すテイストと同一のテイスト又はそれに近いテイストを有するデザインが作成される。
【０１３６】
なお、対象物感性語が示す情報が感性評価ＤＢ１６に記憶されている場合、その対象物感性語に対応付けられている各適合デザイン要素（図１１参照）、つまり、各デザインカテゴリにおいて最大の感性スコアを有するデザイン要素を用いて、対象物「衣服（オーバーコート）」のデザインが作成される。
【０１３７】
（実施例５）
以下、実施例５について説明する。実施例５では、対象物「衣服（オーバーコート）」のデザインを作成するものとする。また、ユーザにより指定された対象物感性語を示す情報が、感性評価ＤＢ１６と関係性ＤＢ１８のいずれにも記憶されていないものとする。実施例５に係る処理は、実施例２に係る処理と同じである。
【０１３８】
まず、ユーザにより、対象物感性語（テイスト）が入力される。また、デザイン作成の対象物として「衣服（オーバーコート）」が指定される。実施例５では、対象物感性語として感性語「手軽な」がユーザにより指定されたものとする。
【０１３９】
対象物感性語「手軽な」を示す情報が、感性評価ＤＢ１６と関係性ＤＢ１８のいずれにも記憶されていない場合、テイスト算出部２４は、類義語ＤＢ２２を対象として対象物感性語「手軽な」を検索し、対象物感性語「手軽な」の類義語（同義語）を類義語ＤＢ２２から抽出する。例えば、テイスト算出部２４は、図１４に示されている類義語テーブルを参照し、対象物感性語「手軽な」の類義語（同義語）を抽出する。
【０１４０】
図３６には、対象物感性語「手軽な」の類義語（同義語）の一例が示されている。テイスト算出部２４は、その類義語リストの中から複数の類義語を抽出する。一例として、関係性ＤＢ１８に登録されている２つの類義語（例えば、「ライトな」、「楽な」）が抽出される。図３７には、印象マップ上における類義語の座標が示されている。
【０１４１】
次に、テイスト算出部２４は、印象マップ上において、２つの類義語を用いて対象物感性語「手軽な」の仮座標を決定する。具体的には、テイスト算出部２４は、印象マップ上において、２つの類義語の座標を含む円を形成し、その円の中心座標を対象物感性語「手軽な」の仮座標として推定する。次に、テイスト算出部２４は、その仮座標に隣接する感性語（隣接感性語）を特定する。例えば、仮座標に最も近い感性語と２番目に近い感性語が、隣接感性語として選択される。一例として、感性語「カジュアル」と「ナチュラル」が、隣接感性語として選択されたものとする。図３８には、その隣接感性語の座標が示されている。なお、３つ以上の隣接感性語が選択されてもよい。
【０１４２】
次に、テイスト算出部２４は、上記の実施例４と同様に、各隣接感性語の感性スコアローデータを取得し、上記の式（４）に従って各隣接感性語の寄与度Ｒａｔｅを演算し、上記の式（５）に従って各デザイン要素の感性スコアを演算する。これにより、対象物感性語「手軽な」についての感性スコアローデータが演算（推定）される。そして、テイスト算出部２４は、その感性スコアローデータに基づいて、対象物感性語「手軽な」に適合する適合デザイン要素を決定する。これにより、対象物感性語「手軽な」についての感性評価データが演算（推定）される。デザイン作成部２６は、その感性評価データに含まれる各デザイン要素を用いて、対象物「衣服（オーバーコート）」のデザインを表すデータ（画像データやテンプレートデータ等）を作成する。そのデータは、デザイン作成装置１０から端末装置１２に送信され、端末装置１２のＵＩ部３４には、衣服（オーバーコート）の画像やテンプレート等が表示される。
【０１４３】
以上の処理により、文書以外の対象物のデザインを作成する場合であっても、対象物感性語の類義語（同義語）に基づいて隣接感性語が選択され、隣接感性語に対応付けられている各デザイン要素により補間して、対象物のデザインが作成される。これにより、対象物感性語についての適合デザイン要素が予め作成されておらず、その対象物感性語に対する隣接感性語が予め定義されていない場合であっても、対象物感性語が示すテイストと同一のテイスト又はそれに近いテイストを有するデザインが作成される。
【０１４４】
（実施例６）
以下、実施例６について説明する。実施例６では、対象物「衣服（オーバーコート）」のデザインを作成するものとする。また、ユーザにより複数の対象物感性語が指定され、それらの情報が、感性評価ＤＢ１６と関係性ＤＢ１８のいずれにも記憶されていないものとする。
【０１４５】
まず、ユーザにより、対象物感性語（テイスト）が入力される。また、デザイン作成の対象物として「衣服（オーバーコート）」が指定される。実施例６では、対象物感性語として感性語「手軽な」と「女の子らしい」がユーザにより指定されたものとする。
【０１４６】
対象物感性語「手軽な」を示す情報が、感性評価ＤＢ１６と関係性ＤＢ１８のいずれにも記憶されていない場合、テイスト算出部２４は、類義語ＤＢ２２を対象として対象物感性語「手軽な」を検索し、対象物感性語「手軽な」の類義語を類義語ＤＢ２２から抽出する。同様に、対象物感性語「女の子らしい」を示す情報が、感性評価ＤＢ１６と関係性ＤＢ１８のいずれにも記憶されていない場合、対象物感性語「女の子らしい」の類義語が類義語ＤＢ２２から抽出される。例えば、テイスト算出部２４は、図１４に示されている類義語テーブルを参照し、対象物感性語「手軽な」の類義語（同義語）と対象物感性語「女の子らしい」の類義語（同義語）を抽出する。
【０１４７】
図３９には、対象物感性語「手軽な」の類義語（同義語）の一例と対象物感性語「女の子らしい」の類義語（同義語）の一例が示されている。テイスト算出部２４は、その類義語リストの中から複数の類義語を抽出する。一例として、対象物感性語「手軽な」については、感性語「ライトな」と「楽な」が類義語として抽出され、対象物感性語「女の子らしい」については、感性語「フェミニン」と「女性的な」が類義語として抽出される。これらの類義語は、関係性ＤＢ１８に登録されている感性語である。図４０には、対象物感性語「手軽な」に対応する類義語の座標が示されており、図４１には、対象物感性語「女の子らしい」に対応する類義語の座標が示されている。
【０１４８】
次に、テイスト算出部２４は、印象マップ上において、対象物感性語「手軽な」に対応する２つの類義語を用いて対象物感性語「手軽な」の仮座標を決定する。具体的には、テイスト算出部２４は、印象マップ上において、２つの類義語の座標を含む円を形成し、その円の中心座標を対象物感性語「手軽な」の仮座標Ａとして推定する。同様に、テイスト算出部２４は、対象物感性語「女の子らしい」に対応する２つの類義語の座標を含む円を形成し、その円の中心座標を対象物感性語「女の子らしい」の仮座標Ｂとして推定する。次に、テイスト算出部２４は、印象マップ上において、仮座標Ａ，Ｂを含む円を形成し、その円の中心座標Ｃを特定し、その中心座標Ｃに隣接する感性語（隣接感性語）を特定する。例えば、中心座標Ｃに最も近い感性語と２番目に近い感性語が、隣接感性語として選択される。一例として、感性語「カジュアル」と「ナチュラル」が、隣接感性語として選択されたものとする。図４２には、その隣接感性語の座標が示されている。なお、３つ以上の隣接感性語が選択されてもよい。
【０１４９】
次に、テイスト算出部２４は、上記の実施例５と同様に、各隣接感性語の感性スコアローデータを取得し、上記の式（４）に従って各隣接感性語の寄与度Ｒａｔｅを演算し、上記の式（５）に従って各デザイン要素の感性スコアを演算する。これにより、テイスト「手軽な」と「女の子らしい」とが合成された合成テイストについての感性スコアローデータが演算（推定）される。そして、テイスト算出部２４は、その合成テイストについての感性スコアローデータに基づいて、合成テイスト「手軽な、女の子らしい」に適合する適合デザイン要素を決定する。これにより、合成テイスト「手軽な、女の子らしい」についての感性評価データが演算（推定）される。デザイン作成部２６は、その感性評価データに含まれる各デザイン要素を用いて、対象物「衣服（オーバーコート）」のデザインを表すデータ（画像データやテンプレートデータ等）を作成する。そのデータは、デザイン作成装置１０から端末装置１２に送信され、端末装置１２のＵＩ部３４には、衣服（オーバーコート）の画像やテンプレート等が表示される。
【０１５０】
以上の処理により、ユーザにより指定された複数の対象物感性語が感性評価ＤＢ１６と関係性ＤＢ１８のいずれにも記憶されていない場合、各対象物感性語の類義語（同義語）に基づいて隣接感性語が選択され、隣接感性語に対応付けられている各デザイン要素により補間して、対象物のデザインが作成される。これにより、合成テイスト（指定された複数のテイストが合成されたテイスト）と同一のテイスト又はそれに近いテイストを有するデザインが作成される。なお、衣服以外の対象物に対して実施例６に係る処理が適用されてもよい。
【０１５１】
上記のデザイン作成装置１０は、一例としてハードウェア資源とソフトウェアとの協働により実現される。具体的には、デザイン作成装置１０は、図示しないＣＰＵ等のプロセッサを備えている。当該プロセッサが、図示しない記憶装置に記憶されたプログラムを読み出して実行することにより、デザイン作成装置１０の各部の機能が実現される。上記プログラムは、ＣＤやＤＶＤ等の記録媒体を経由して、又は、ネットワーク等の通信経路を経由して、記憶装置に記憶される。または、デザイン作成装置１０の各部は、例えばプロセッサや電子回路等のハードウェア資源により実現されてもよい。その実現においてメモリ等のデバイスが利用されてもよい。別の例として、デザイン作成装置１０の各部は、ＤＳＰ（Digital Signal Processor）やＦＰＧＡ（Field Programmable Gate Array）等によって実現されてもよい。
【符号の説明】
【０１５２】
１０  デザイン作成装置、１２  端末装置、１６  感性評価ＤＢ、１８  関係性ＤＢ、２０  印象マップＤＢ、２２  類義語ＤＢ、２４  テイスト算出部、２６  デザイン作成部。
【図１】
0006572746.tif 000010
【図２】
0006572746.tif 000011
【図３】
0006572746.tif 000012
【図４】
0006572746.tif 000013
【図５】
0006572746.tif 000014
【図６】
0006572746.tif 000015
【図７】
0006572746.tif 000016
【図８】
0006572746.tif 000017
【図９】
0006572746.tif 000018
【図１０】
0006572746.tif 000019
【図１１】
0006572746.tif 000020
【図１２】
0006572746.tif 000021
【図１３】
0006572746.tif 000022
【図１４】
0006572746.tif 000023
【図１５】
0006572746.tif 000024
【図１６】
0006572746.tif 000025
【図１７】
0006572746.tif 000026
【図１８】
0006572746.tif 000027
【図１９】
0006572746.tif 000028
【図２０】
0006572746.tif 000029
【図２１】
0006572746.tif 000030
【図２２】
0006572746.tif 000031
【図２３】
0006572746.tif 000032
【図２４】
0006572746.tif 000033
【図２５】
0006572746.tif 000034
【図２６】
0006572746.tif 000035
【図２７】
0006572746.tif 000036
【図２８】
0006572746.tif 000037
【図２９】
0006572746.tif 000038
【図３０】
0006572746.tif 000039
【図３１】
0006572746.tif 000040
【図３２】
0006572746.tif 000041
【図３３】
0006572746.tif 000042
【図３４】
0006572746.tif 000043
【図３５】
0006572746.tif 000044
【図３６】
0006572746.tif 000045
【図３７】
0006572746.tif 000046
【図３８】
0006572746.tif 000047
【図３９】
0006572746.tif 000048
【図４０】
0006572746.tif 000049
【図４１】
0006572746.tif 000050
【図４２】
0006572746.tif 000051